(57)【要約】  処理される圧縮ガスの供給のための入口（３Ａ、３Ｂ）と処理されたガスのための出口（４Ａ、４Ｂ）とを有する容器（２Ａ、２Ｂ、２５）が、吸着デバイス（１）に設けられ、吸着要素（１９Ａ、１９Ｂ、１９）が、上記容器（２Ａ、２Ｂ、２５）に固定され、この吸着要素（１９Ａ、１９Ｂ、１９）が、上記入口（３Ａ、３Ｂ）と上記出口（４Ａ、４Ｂ）の間を処理される圧縮ガスの流れ方向に沿って延びる圧縮ガスのための吸着デバイスであって、上記吸着要素（１９Ａ、１９Ｂ、１９）が、吸着剤を含有するコーティングが少なくとも部分的に設けられたモノリシック支持構造を含むことを特徴とする吸着デバイス。【選択図】図１
2018526209.tif 000002
【特許請求の範囲】
【請求項１】
処理される圧縮ガスの供給のための入口（３Ａ、３Ｂ）と処理されたガスのための出口（４Ａ、４Ｂ）とを有する容器（２Ａ、２Ｂ、２５）が、吸着デバイス（１）に設けられ、吸着要素（１９Ａ、１９Ｂ、１９）が、該容器（２Ａ、２Ｂ、２５）に固定され、この吸着要素（１９Ａ、１９Ｂ、１９）が、該入口（３Ａ、３Ｂ）と該出口（４Ａ、４Ｂ）の間を処理される該圧縮ガスの流れ方向に沿って延びる圧縮ガスのための吸着デバイスであって、
前記吸着要素（１９Ａ、１９Ｂ、１９）は、吸着剤を含有するコーティングが少なくとも部分的に設けられたモノリシック支持構造を含む、
ことを特徴とする吸着デバイス。
【請求項２】
前記モノリシック支持構造は、以下の材料：セラミック材料、金属ホイル、繊維構造、及びポリマーのうちの１又は２以上を含有することを特徴とする請求項１に記載の吸着デバイス。
【請求項３】
前記モノリシック支持構造は、コーディエライトを含有するセラミック構造から構成されることを特徴とする請求項２に記載の吸着デバイス。
【請求項４】
前記吸着剤は、以下の材料：ゼオライト、シリカゲル、活性アルミナ、活性炭、金属−有機組成物、含浸吸着剤、及び混成吸着剤のうちの１又は２以上を含有することを特徴とする請求項１から請求項３の１又は２以上に記載の吸着デバイス。
【請求項５】
前記吸着剤は、親水性ゼオライトを含有することを特徴とする請求項４に記載の吸着デバイス。
【請求項６】
前記吸着剤は、フォージャサイトゼオライトタイプＸを含有することを特徴とする請求項４に記載の吸着デバイス。
【請求項７】
いくつかの吸着要素（１９Ａ）が、前記ガスの前記流れ方向に沿って前記容器（２Ａ、２Ｂ、２５）に直列に置かれることを特徴とする請求項１から請求項６の１又は２以上に記載の吸着デバイス。
【請求項８】
シール（２２）が、互いの上に置かれたどの２つの吸着要素（１９Ａ）間にも設けられることを特徴とする請求項７に記載の吸着デバイス。
【請求項９】
前記シール（２２）は、互いの上に置かれた前記吸着要素（１９Ａ）のそれぞれの周縁の上を延びることを特徴とする請求項８に記載の吸着デバイス。
【請求項１０】
前記シール（２２）には、前記吸着要素（１９Ａ）間を延びる内向きに回転された少なくとも１つの半径方向リップ（２３）が設けられることを特徴とする請求項９に記載の吸着デバイス。
【請求項１１】
前記シール（２２）には、互いの上に置かれた前記吸着要素（１９Ａ）間を延びる内向きに回転された２つの半径方向Ｖ字形リップ（２３）が設けられることを特徴とする請求項９に記載の吸着デバイス。
【請求項１２】
収縮スリーブ（２４）が、吸着要素（１９Ａ）のスタックの少なくとも一部の周囲壁にわたって固定されることを特徴とする請求項７から請求項１１の１又は２以上に記載の吸着デバイス。
【請求項１３】
前記収縮スリーブ（２４）は、ガスに対してそれ程高い透過性ではない弾性材料から構成されることを特徴とする請求項１２に記載の吸着デバイス。
【請求項１４】
前記収縮スリーブ（２４）は、ポリオレフィンで製造されることを特徴とする請求項１２又は請求項１３に記載の吸着デバイス。
【請求項１５】
前記コーティングはまた、前記吸着剤に加えて結合剤材料を含有することを特徴とする請求項１から請求項１４の１又は２以上に記載の吸着デバイス。
【請求項１６】
前記結合剤材料は、以下の無機結合剤材料：
コロイドシリカ、
アルミナ、及び／又は
粘土、
のうちの１又は２以上を含有することを特徴とする請求項１５に記載の吸着デバイス。
【請求項１７】
前記結合剤材料は、以下の有機結合剤材料：
メチルセルロース、
アクリル樹脂及びビニル樹脂などのようなポリマー、及び／又は
セルロース群の材料、
のうちの１又は２以上を含有することを特徴とする請求項１５又は請求項１６に記載の吸着デバイス。
【請求項１８】
圧縮ガスのための吸着デバイスのための吸着要素であって、
この吸着要素（１９Ａ、１９Ｂ、１９）が、吸着剤を含有するコーティングが少なくとも部分的に設けられたモノリシック支持構造を含む、
ことを特徴とする吸着要素。
【請求項１９】
請求項１８に記載の吸着要素のスタックから構成されるカートリッジ。
【請求項２０】
収縮スリーブ（２４）が、前記吸着要素（１９Ａ）のスタックの少なくとも一部の周囲壁にわたって固定されることを特徴とする請求項１９に記載のカートリッジ。
【請求項２１】
前記収縮スリーブ（２４）は、ガスに対してそれ程高い透過性ではない弾性材料から構成されることを特徴とする請求項２０に記載のカートリッジ。
【請求項２２】
前記収縮スリーブ（２４）は、ポリオレフィンで製造されることを特徴とする請求項２０又は請求項２１に記載のカートリッジ。
【請求項２３】
シール（２２）が、互いの上に置かれたどの２つの吸着要素（１９Ａ）間にも設けられることを特徴とする請求項１９から請求項２２の１又は２以上に記載のカートリッジ。
【請求項２４】
前記シール（２２）は、互いの上に置かれた前記吸着要素（１９Ａ）のそれぞれの周縁の上を延びることを特徴とする請求項２３に記載のカートリッジ。
【請求項２５】
前記シール（２２）には、前記吸着要素（１９Ａ）間を延びる内向きに回転された少なくとも１つの半径方向リップ（２３）が設けられることを特徴とする請求項２３又は請求項２４に記載のカートリッジ。
【請求項２６】
前記シール（２２）には、互いの上に置かれた吸着要素（１９Ａ）間を延びる内向きに回転された２つの半径方向Ｖ字形リップ（２３）が設けられることを特徴とする請求項２３から請求項２５の１又は２以上に記載のカートリッジ。
【請求項２７】
前記モノリシック支持構造は、コーディエライトを含有するセラミック構造から構成されることを特徴とする請求項１８に記載の吸着要素。
【請求項２８】
前記吸着剤は、以下の材料：ゼオライト、シリカゲル、活性アルミナ、活性炭、及び金属−有機組成物のうちの１又は２以上を含有することを特徴とする請求項１８又は請求項２７に記載の吸着要素。
【請求項２９】
前記吸着剤は、親水性ゼオライトを含有することを特徴とする請求項１８又は請求項２７に記載の吸着要素。
【請求項３０】
前記吸着剤は、フォージャサイト又はゼオライトタイプＸを含有することを特徴とする請求項１８又は請求項２７に記載の吸着要素。
【請求項３１】
前記シール（２２）は、前記吸着要素（１９Ａ）の外径よりも幾分大きい内径を有するリング（２８）を含み、
前記リング（２８）は、互いの上に置かれた前記吸着要素（１９Ａ）の端部の周縁の上を延び、
前記リング（２８）には、前記吸着要素（１９Ａ）の当該の前記端部がそれに対して固定される内向きに向けられた半径方向縁部（２９）が設けられる、
ことを特徴とする請求項２３に記載のカートリッジ。
【請求項３２】
密封層（３０、３１）が、当該の前記半径方向縁部（２９）の少なくとも１つの側面上に周囲全体にわたって固定されることを特徴とする請求項３１に記載のカートリッジ。
【請求項３３】
シール（３４）が、前記吸着要素（１９Ａ、１９Ｂ、１９）の自由周縁にわたって設けられることを特徴とする請求項１に記載の吸着デバイス。
【請求項３４】
前記シール（３４）は、当該の前記周縁にわたって押されるＶ字形シールとして構成され、全てが、該シール（３４）の第１の脚（３５）が、前記吸着要素（１９Ａ、１９Ｂ、１９）の軸方向上面（３６）に対して押圧し、一方でこのシール（３４）の第２の脚（３７）が、該吸着要素（１９Ａ、１９Ｂ、１９）の半径方向外側壁（３８）に対して押圧するためのものであることを特徴とする請求項３３に記載の吸着デバイス。
【請求項３５】
前記容器（２Ａ、２Ｂ）の内壁に対して前記シール（３４）の一部を半径方向に押圧する押圧手段が設けられることを特徴とする請求項３３及び／又は請求項３４に記載の吸着デバイス。
【請求項３６】
前記押圧手段は、前記シール（３４）の一部に対してバネ（４１）によって押圧される円錐リング（４０）を含むことを特徴とする請求項３５に記載の吸着デバイス。
【請求項３７】
圧縮ガスを乾かすための乾燥デバイスを形成することを特徴とする請求項１から請求項１８及び／又は請求項３３から請求項３６の１又は２以上に記載の吸着デバイス。
【請求項３８】
圧縮空気から酸素及び／又は二酸化炭素を吸着するための窒素発生器を形成することを特徴とする請求項１から請求項１８及び／又は請求項３３から請求項３６の１又は２以上に記載の吸着デバイス。
【発明の詳細な説明】
【技術分野】
【０００１】
本発明は、圧縮ガス、例えば、圧縮空気のための吸着デバイスに関する。
【０００２】
より具体的には、本発明は、吸着デバイスが、吸着剤、例えば、乾燥剤又は「デシカント」が置かれた容器を含む圧縮ガスのための吸着デバイスに関する。当該容器には、処理される圧縮ガスを供給するための入口と、処理されたガスを排出するための出口とが設けられる。
【背景技術】
【０００３】
当該吸着剤は、一般的に再生可能吸着剤、又は言い換えれば、ある一定の飽和度に達した後に再生することができる吸着剤の形態に実現される。簡略化のために、以下では主として乾燥剤の形態にある吸着剤を参照するが、本発明は、他の吸着剤にも拡張される。例えば、乾燥デバイスを用いて、実際に、乾燥剤の形態に構成された吸着剤が乾かされるガスから水分を抽出する時に、この乾燥剤が、吸着した水分で益々飽和状態になることになることも該当する。従って、圧縮ガスを乾かすためにある一定の時間にわたって乾燥剤を用いた後に、この乾燥剤を例えばそれを乾燥剤から水分を抽出する再生ガス流れに露出することによって再生することが通例である。そのような再生ガス流れは、例えば、乾燥剤の再生を実現することができる程に十分に低い相対湿度を有する乾燥ガス及び／又は高温ガスの画分で構成することができる。
【０００４】
圧縮ガスのための乾燥デバイスの一部の実施形態では、乾燥剤の２又は３以上の容器が使用される。２つの容器を使用すると、乾燥デバイスのこの原理は、二塔乾燥器とも呼ばれる。そのようなタイプの乾燥デバイスでは、例えば圧縮器から由来する圧縮ガスは、例えば上記容器のうちの第１のものを通過させることができ、そこでそれは、後置冷却器及び凝縮分離器（当該後置冷却器の一部を形成する又はしない場合がある）を通過した後に当該容器内で乾燥剤によって乾かされることになる。この容器は、結果的に乾燥容器として作用する。
【０００５】
同時に、再生ガス流れは、第２の上記の容器を通して案内され、それによってこの第２の容器内の乾燥剤は、この乾燥剤から水分を抽出することによって再生させることができる。これは、既に乾かされた、例えば、乾燥容器の下流で取り出されたガスを利用することにより、及び／又は例えば圧縮中に圧縮器内で発生した熱を回収することによって加熱されたガス流れを供給することにより行うことができる。この最後の場合に、それは、「圧縮の熱」又はＨＯＣ乾燥器と呼ばれる。他の公知の再生原理も、勿論、使用することができる。
【０００６】
乾燥容器内の乾燥剤がある一定の飽和度に達した時に、第１の容器と第２の容器を通るガス流れは、第１の容器内の乾燥剤が今度は再生ガス流れによって再生されることになり、一方で第２の容器が乾燥化容器の役割を受け持つことになるように切り換えることができる。このようにして２又は３以上の容器は、乾燥工程の連続性が実現されるように、乾燥圧力容器及び再生圧力容器として交互に作動することになる。いくつかの容器を有するそのような乾燥デバイスの例は、例えば、ＵＳ  ２００３／０２３．９４１、ＵＳ  ４．７８３．４３２、ＵＳ  ６．３７５．７２２、ＥＰ  １．７７６．１７１、及びＷＯ  ２００６／０５０．５８２に記載されている。
【０００７】
いくつかの容器を有するそのような吸着デバイスに使用される乾燥剤は、シリカゲル、活性アルミナ、又は分子ふるい材料、又はその組合せの粒子から多くの場合に構成される。公知のように、活性アルミナは、水酸化アルミニウムＡｌ（ＯＨ）3の熱脱水又は活性化によって生成され、一方で分子ふるいは、合成ゼオライト（結晶アルミノケイ酸塩）から構成される。
【０００８】
粒子形態の乾燥剤を含むそのようなタイプの乾燥デバイスの制約は、互いに対して移動する粒子又は更に流動化に対抗するために容器を通るガス速度を制限しなければならないことから構成される。実際に、粒子が運動状態に置かれることに起因して、それらの間に摩擦が発生することになり、これは、次に、粉塵形成及び乾燥機能の低下に至る。そのような粉塵形成の他の原因は、例えば、圧力変動及び／又は熱衝撃である。更に、二塔乾燥器にわたる圧力降下は、相対的に大きく、デシカント粒子は、かなり高い熱質量を有する。
【０００９】
乾燥剤が回転ドラムに置かれ、一方で乾燥ゾーン及び再生ゾーンが容器内を延びる圧縮ガスのための代替乾燥デバイスが公知である。そのような乾燥デバイスの作動中に、乾燥ドラムは、この乾燥ドラム内の乾燥剤が乾燥ゾーンと再生ゾーンを通して交互に取られることになるように、この目的で設けられた駆動手段によって回転させられることになる。乾燥ゾーン内の圧縮ガスの乾燥と再生ゾーン内の乾燥剤の再生が同時に実現するように、乾かされる圧縮ガスは、乾燥ゾーンを通して案内されることになり、一方で再生ガス流れは、再生ゾーンを通して案内される。
【００１０】
回転乾燥ドラムが設けられたそのような乾燥デバイスの例は、例えば、ＷＯ  ００／０３３．９４３、ＷＯ  ００／０７４．８１９、ＷＯ  ０１／０７８．８７２、ＷＯ  ０１／０８７．４６３、ＷＯ  ０２／０３８．２５１、ＷＯ  ２００７／０７９５３３、ＷＯ  ２００５／０７０．５１８、ＷＯ  ２００６／０１２．７１１、ＧＢ  １．２２６．３４８、ＧＢ  １．３４９．７３２、ＧＢ  １．４２６．２９２、ＵＳ  ３．４９０．２０１、ＵＳ  ５．３８５．６０３、及びＵＳ  ８．３４９．０５４に記載されている。
【００１１】
圧縮ガスを乾かすための公知の乾燥デバイスに使用される乾燥剤又はデシカントは、例えば、シリカゲル、分子ふるい、活性アルミナ、又はその組合せから構成される。公知のように、乾燥剤は、例えばＵＳ  ５．６８３．５３２に記載されているように、例えば巻き上げられて容器内にハニカム構造を形成するガラス繊維又はセラミック繊維の波形構造のような支持体上に固定することができる。
【００１２】
実際に、圧縮ガスを乾かすための公知の乾燥デバイスを用いると、乾燥剤の不十分な再生及びその過飽和の事象におけるようなある一定の条件下で、乾燥剤は、複雑な分解過程を受けることになり、これは、一部の場合に、例えば、回転部内の乾燥剤としてのシリカゲルの場合に、シリカゲルの結合剤機能が低下し、これが支持ガラス繊維母材の構造強度の損失に至ることに起因して、かつ同じくシリカゲル構造の加水分解及び破壊の結果としてシリカゲルの吸着機能が低下することに起因して、最終的に乾燥デバイスの故障をもたらす可能性がある。
【００１３】
すなわち、シリカゲル回転部の吸着挙動及び吸着機能は、高湿及び高温の苛酷な条件下では、回転部の有効寿命中に実質的に変化することになる。
【先行技術文献】
【特許文献】
【００１４】
【特許文献１】ＵＳ  ２００３／０２３．９４１
【特許文献２】ＵＳ  ４．７８３．４３２
【特許文献３】ＵＳ  ６．３７５．７２２
【特許文献４】ＥＰ  １．７７６．１７１
【特許文献５】ＷＯ  ２００６／０５０．５８２
【特許文献６】ＷＯ  ００／０３３．９４３
【特許文献７】ＷＯ  ００／０７４．８１９
【特許文献８】ＷＯ  ０１／０７８．８７２
【特許文献９】ＷＯ  ０１／０８７．４６３
【特許文献１０】ＷＯ  ０２／０３８．２５１
【特許文献１１】ＷＯ  ２００７／０７９５３３
【特許文献１２】ＷＯ  ２００５／０７０．５１８
【特許文献１３】ＷＯ  ２００６／０１２．７１１
【特許文献１４】ＧＢ  １．２２６．３４８
【特許文献１５】ＧＢ  １．３４９．７３２
【特許文献１６】ＧＢ  １．４２６．２９２
【特許文献１７】ＵＳ  ３．４９０．２０１
【特許文献１８】ＵＳ  ５．３８５．６０３
【特許文献１９】ＵＳ  ８．３４９．０５４
【特許文献２０】ＵＳ  ５．６８３．５３２
【発明の概要】
【発明が解決しようとする課題】
【００１５】
本発明の目的は、吸着剤を利用する従来の公知の吸着デバイスに付随する欠点のうちの１又は２以上に対するソリューションを与える圧縮ガスのための吸着デバイスを提供することである。
【課題を解決するための手段】
【００１６】
この目的に対して、本発明は、圧縮ガスのための吸着デバイスに関し、この吸着デバイスには、処理される圧縮ガスの供給のための入口と処理されたガスのための出口とを有する容器が設けられ、吸着要素が、上記容器内に固定され、この吸着要素は、上記入口と上記出口の間を処理される圧縮ガスの流れ方向に沿って延び、かつ本発明により、吸着剤を含むコーティングが少なくとも部分的に設けられたモノリシック支持構造から構成される。
【００１７】
本発明によるそのような吸着デバイスの利点は、吸着剤の遊離粒子が使用されないので移動又は流動化のリスクがないことである。その結果、粉塵形成が阻止され、一方で吸着デバイスを通して処理される圧縮ガスの相対的に高い流量が可能である。
【００１８】
更に、本発明によるそのような吸着デバイスは、容器を垂直に、傾斜して、又は更に水平に置くことを可能にし、水平に置くことは、例えば粒状乾燥剤を利用する従来の乾燥デバイスを用いると、そのような公知の乾燥デバイスの水平使用が粒子の再配置及び内部漏出経路の形成に至り、かつ結果的に乾燥器性能の低下に至る可能性があるので可能ではない。
【００１９】
本発明の好ましい特性により、上記モノリシック支持構造は、以下の材料、すなわち、セラミック材料、金属ホイル、繊維構造、及びポリマーのうちの１又は２以上を含む。特に良好な結果は、コーディエライトを含有するセラミック構造を使用して取得される。
【００２０】
好ましくは、上記吸着剤は、以下の材料、すなわち、ゼオライト、シリカゲル、活性アルミナ、活性炭、金属−有機組成物、炭素分子ふるい（ＣＭＳ）、含浸吸着剤、及び混成吸着剤のうちの１又は２以上を含有する。特に、親水性ゼオライト支持体が好ましい。良好な結果は、シリコン／アルミニウム比が２と３の間であるフォージャサイト又はゼオライトタイプＸを利用することによって取得される。
【００２１】
本発明の特定の実施形態により、吸着デバイスは、ガスの流れ方向に沿って上記容器内に直列に置かれたいくつかの吸着要素を含む。
【００２２】
本発明はまた、圧縮ガスのための吸着デバイスのための吸着要素に関し、この吸着要素は、吸着剤を含有するコーティングが少なくとも部分的に設けられたモノリシック支持構造を含む。
【００２３】
これに加えて、本発明はまた、吸着剤を含有するコーティングが少なくとも部分的に設けられたモノリシック支持構造が設けられた吸着要素のスタックを含むカートリッジに関する。
【００２４】
本発明の特性をより良く示す意図により、添付図面を参照していかなる限定性も伴わずに本発明による吸着デバイスの少数の好ましい実施形態を一例として以下に説明する。
【図面の簡単な説明】
【００２５】
【図１】本発明による吸着デバイスを概略的に示す図である。
【図２】本発明による吸着要素のカートリッジを示す図である。
【図３】図２にＦ３で示した部分をより大きい縮尺で示す図である。
【図４】図１による吸着デバイスの変形を示す図である。
【図５】容器内で吸着要素のスタックの装着状態にある図３の変形を示す図である。
【図６】容器内で装着状態にある吸着要素のスタックの上縁の詳細を示す図である。
【発明を実施するための形態】
【００２６】
図１は、本発明による吸着デバイス１の可能な実施形態を概略的に示し、これは、この場合に乾燥デバイスを形成し、かつ処理される（この場合に乾かされる）圧縮ガスの供給のためのそれぞれ入口３Ａ及び３Ｂと、処理された（この場合に乾かされた）圧縮ガスの排出のためのそれぞれ出口４Ａ及び４Ｂとが各々設けられた２つの容器２Ａ及び２Ｂを含む。
【００２７】
それぞれの出口４Ａ及び４Ｂは、圧縮器６、この例では空気圧縮器の圧力パイプ５に出口パイプ５Ａ及び５Ｂを通じて接続される。出口パイプ５Ａ及び５Ｂの各々は、この目的でそれぞれ設けられた出口バルブ７Ａ及び７Ｂを用いて遮断することができる。
【００２８】
一方で出口バルブ７Ａ及び７Ｂそれぞれと出口４Ａ及び４Ｂそれぞれとの間では、排出バルブ９Ａ及び９Ｂそれぞれを用いて閉止することができ、かつ必ずというわけではないがこの場合に共通出口１０に接続された排出パイプ８Ａ及び８Ｂそれぞれへの接続部が、各出口パイプ５Ａ及び５Ｂ上に設けられる。
【００２９】
上記入口３Ａ及び３Ｂは、２つの遮断バルブ１２Ａ及び１２Ｂの第１のセットが直列に置かれた接続パイプ１１によって互いに接続される。当該バルブ１２Ａ及び１２Ｂは、２つの遮断バルブ１４Ａ及び１４Ｂの第２のセットが直列に置かれたバイパスパイプ１３によって迂回される。
【００３０】
接続パイプ１１とバイパスパイプ１３は、熱交換器１６及び凝縮分離器１７が固定された冷却パイプ１５によって互いに接続される。冷却パイプ１５の一端は、第１のセットの遮断バルブ１２Ａ及び１２Ｂの間で接続パイプ１１に接続され、一方で冷却パイプ１５の他端は、第２のセットの遮断バルブ１４Ａ及び１４Ｂの間でバイパスパイプ１３に接続される。
【００３１】
この例では、出口バルブ７Ａ及び７Ｂ、排出バルブ９Ａ及び９Ｂ、並びに遮断バルブ１２Ａ、１２Ｂ、１４Ａ、１４Ｂの各々は、図面に明瞭化の目的で含めていないこの目的で設けられた制御ケーブルを通じて又は無線でのいずれかで制御ユニット１８に接続された制御可能遮断バルブの形態に構成される。
【００３２】
本発明により、この場合に乾燥要素の形態にある吸着要素１９Ａ及び１９Ｂそれぞれは、上記容器２Ａ及び２Ｂの各々に、より具体的には、乾かされるガスの流路内に、又は言い換えれば、一方で上記入口３Ａ及び３Ｂそれぞれと他方で上記出口４Ａ及び４Ｂそれぞれとの間の処理される圧縮ガスの流れ方向に従って固定される。
【００３３】
第１の容器２Ａに関して、上記入口３Ａと反対に吸着要素１９Ａの入口側２０Ａが延び、一方で出口４Ａと反対に吸着要素１９Ａの出口側２１Ａが延びる。
【００３４】
同様に、第２の容器２Ｂ内の吸着要素１９Ｂは、入口３Ｂ及び出口４Ｂそれぞれと反対に延びる入口側２０Ｂ及び出口側２１Ｂを有する。
【００３５】
本発明により、吸着要素１９Ａ及び１９Ｂは、必ずというわけではないが好ましくは、コーディエライト、例えば、ＣｏｒｎｉｎｇによるＣｅｌｃｏｒ（登録商標）を含有するセラミック構造から構成されるモノリシック支持構造を含む。これに代えて、本発明により、ムライト、γ−又はα−アルミナ、又はシリコンカーバイド（ＳｉＣ）のような他のセラミック材料、金属ホイル、又は例えばガラス繊維、セラミック繊維、又は他の繊維、又は異なるタイプの繊維の混合物に基づく繊維構造、又はポリマーのような他の材料も当該支持構造の製造に使用することができる。
【００３６】
上記リストは包括的ではなく、他の材料の使用が除外されないことは言うまでもない。
【００３７】
本発明により、モノリシック支持構造が上記及び／又は他の材料のうちの２又は３以上の組合せで製造されることも除外されない。
【００３８】
支持構造の材料は、好ましくは２００と１２００の間のＣＰＳＩ（１平方インチ当たりのセル数）、より好ましくは３５０と４５０の間のＣＰＳＩを含有する。
【００３９】
支持構造の壁厚は、好ましくは２と１１ミル（ミリインチ）の間、より好ましくは３と９ミルの間、更に好ましくは５と７．５ミルの間である。最も好ましい実施形態では、壁厚は、６と７ミルの間、好ましくは約６．５ミルである。
【００４０】
支持構造の壁の孔隙率は、好ましくは５％よりも高く、より好ましくは１０％よりも高く、更に良好には２０％よりも高い。
【００４１】
形成されるセルは、好ましくは正方形形状を有するが、三角形、正弦形、円形、及び六角形などのような他の形状を呈することができる。
【００４２】
本発明により、上記モノリシック支持構造には、吸着剤を含有するコーティングが少なくとも部分的に設けられる。
【００４３】
本発明により、当該吸着剤は、以下の材料、すなわち、ゼオライト、好ましくは親水性ゼオライトであるが疎水性ゼオライトも可能であり、このゼオライトは、例えばフォージャサイトゼオライトタイプＸ、例えばＴｏｓｏｈのＺｅｏｌｕｍ  Ｆ９、又はゼオライトタイプＸ及びＡの混合物とすることができるもの、シリカゲル、活性アルミナ、活性炭、金属−有機組成物、炭素分子ふるい（ＣＭＳ）、含浸吸着剤、及び混成吸着剤、及び／又は他の材料のうちの１又は２以上を含有することができる。
【００４４】
上記リストは包括的ではなく、本発明により他の材料も可能である。
【００４５】
吸着剤の選択は、例えば、吸着デバイスを窒素発生器として用い、かつ処理される圧縮ガスが圧縮空気である時に、乾燥又は酸素又は二酸化炭素のような他の分子の除去のようなどの処理を処理されるガスが受ける必要があるかに依存する。
【００４６】
吸着剤の粒子サイズの分布は、好ましくは、Ｄ50が１０μｍよりも小さく、より好ましくは、４μｍよりも小さいようなものである。
【００４７】
上記吸着剤に加えて、上記コーティングは、好ましくは、結合剤材料、好ましくは、コロイド状シリカ、例えば、Ｇｒａｃｅ  ＤａｖｉｓｏｎのＬｕｄｏｘ−ＡＳ  ４０、アルミナ、及び／又は粘土のような無機結合剤材料も含有する。
【００４８】
更に、メチルセルロース、アクリル樹脂、及びビニル樹脂など、及び／又はセルロース群からの材料のような有機結合剤材料を必要に応じて使用することができる。
【００４９】
図１の例では、各容器２Ａ及び２Ｂは、唯１つの吸着要素１９Ａ及び１９Ｂそれぞれを収容するが、本発明は、本発明による吸着デバイス１の変形により、図２に示すように、ガスの流れ方向に沿って容器２Ａ及び／又は２Ｂ内に直列に２又は３以上の吸着要素１９Ａ又は１９Ｂを同じく置くことができるので、そのように限定されない。
【００５０】
図２は、この例ではディスク形であって全てが平坦な上面及び底面を呈する互いの上に積み重ねられたいくつかの吸着要素１９Ａの例を示している。
【００５１】
各場合に、互いの上に積み重ねられた２つの吸着要素１９Ａの間にこれらの吸着要素１９Ａの周縁にわたってシール２２、この場合に積み重ねられた吸着要素１９Ａのインタフェースの間を延びるリング形シールが好ましくは設けられ、少なくとも１つの半径方向リップが内向きに向けられ、この場合に２つのＶ字形半径方向リップ２３が内向きに向けられる。
【００５２】
ガスに対してそれ程透過性ではない弾性材料、例えば、ポリオレフィンで好ましくは製造された収縮スリーブ２４が、吸着要素のスタック全体の周囲壁にわたって固定される。当該収縮スリーブ２４はまた、吸着要素のスタックの高さの一部だけにわたって固定することができる。
【００５３】
積み重ねられた吸着要素１９Ａのセットは、本発明の特定の態様に従って置換可能又は交換可能であるカートリッジをこのように形成する。
【００５４】
本発明による吸着デバイス１の作動は非常に単純であり、以下の通りである。
【００５５】
第１の事例では、この例では第１の容器２Ａは、乾燥化容器の役割を満たすことになり、一方で吸着要素１９Ｂ（すなわち、ここでは乾燥要素である）は、第２の容器２Ｂ内で再生されることになる。
【００５６】
圧縮器６は、ガス、例えば、雰囲気を引き込み、このガスを圧縮する。圧縮された高温ガスは、次に、、開いた出口バルブ７Ｂを通じて圧力パイプ５を通じて出口パイプ５Ｂを通って第２の容器２Ｂの出口４Ｂに搬送される。
【００５７】
高温圧縮ガスは、乾燥剤に存在する吸着要素１９Ｂから水分を抽出するのに十分に低い相対湿度を有することになり、従って、この吸着要素１９Ｂを再生することになる。言い換えれば、デシカントは、第２の容器２Ｂ内で乾かされる。
【００５８】
高温湿潤ガスは、次に、開いた遮断バルブ１４Ｂを通じて冷却パイプ１５まで駆動され、そこでそれは、熱交換器１６及び凝縮分離器１７を順番に通って案内され、次に、開いた遮断バルブ１２Ａ及び接続パイプ１１を通じて第１の容器２Ａの入口３Ａまで搬送される。
【００５９】
１００％飽和した低温圧縮ガスは、入口３Ａを通じて第１の容器２Ａに入り、吸着要素１９Ａを通して案内されることになる。
【００６０】
支持構造上に存在する吸着剤は、吸着要素１９Ａを通って圧縮ガスが流れる間にガスから水分を抽出することになる。この例では、吸着剤は、結果的に乾燥剤又はデシカント材料の役割を満たすことになる。
【００６１】
吸着要素１９Ａをその出口側２１Ａで離れるガスは、入口３Ａを通じて容器２Ａに入ったガスよりも乾燥していることになる。
【００６２】
乾燥圧縮ガスは、次に、出口４Ａを通じて、出口パイプ５Ａ及び開いた排出バルブ９Ａを通って排出パイプ８Ａまで、かつそれに接続されて乾燥圧縮ガスの消費者に接続することができる出口１０まで流れる。
【００６３】
ある一定の循環時間の後に、両方の容器２Ａ及び２Ｂの作動を切り換えることができ、第２の容器２Ｂは、乾燥化容器の役割を受け持つことができ、一方で第１の容器２Ａ内のデシカントは、再生することができる。
【００６４】
本発明による吸着デバイス１は粒状デシカントを利用しないという事実により、容器２Ａ及び２Ｂは、垂直、水平、又はいずれかの他の姿勢のようなあらゆる姿勢に置くことができる。
【００６５】
吸着剤は、支持構造に取り付けられるので、粒状デシカントの場合のような流動化のリスクがなく、その結果、吸着要素を通る高いガス速度においてさえも粉塵形成は発生することができない。
【００６６】
図２に示すように、互いの上に置かれたいくつかの吸着要素１９Ａが使用される時に、ガスは、乾かされるガスとして又は再生ガスとしてのいずれかで連続する吸着要素を順番に通って流れることになる。
【００６７】
連続する吸着要素１９Ａの間の上記シール２２の存在は、漏出が一方で吸着要素１９Ａのスタックの側壁と他方で容器２Ａの内壁との間で発生する可能性を阻止する。残りに関しては、同じことは、当然ながら同じく可能であって上記シール２２を設けることができる第２の容器２Ｂ内のいくつかの吸着要素１９Ｂのそのようなスタックの使用に適用される。
【００６８】
図４は、吸着要素１９が回転可能に固定された唯１つの容器２５がこの場合に存在する本発明による吸着デバイス１の別の実施形態を示している。吸着要素１９は、例えば、電気モータ２６の形態にある駆動手段に取り付けられる。
【００６９】
公知の回転ドラム乾燥器の場合のように、再生ゾーンと吸着ゾーン（この場合に乾燥ゾーン）が容器内を延びる。この場合に圧縮器６から出ている圧力パイプ５は、公知のＨＯＣ乾燥器の場合のように再生ゾーンの入口に接続する。再生ゾーンの出口は、接続パイプ２７を通じて公知の方法で吸着ゾーンの入口に接続される。熱交換器１６及び凝縮分離器１７が、当該接続パイプ２７に設けられる。
【００７０】
最後に、再生ゾーンの出口は、排出パイプ８を通じて出口１０に接続される。
【００７１】
図４による吸着デバイスの作動は、乾燥剤が設けられた回転ドラムを有する公知のＨＯＣ乾燥器のものと同様である。しかし、吸着要素１９の構造に起因して、本発明によるそのような改善された吸着デバイスは、強度低下に起因する故障を受けにくい。要するに、本発明の吸着デバイスにおける吸着要素のモノリシック支持構造は、高湿及び高温という苛酷な条件下であっても構造強度を失わない。
【００７２】
図面に示す本発明による吸着デバイス１の実施形態は、両方共に全開流量ＨＯＣ乾燥器であるが、本発明は、本発明による吸着デバイス１が必ずしも全開流量原理に従って作動しなくてもよいのでそのように限定されない。同様に、本発明により、吸着剤の再生に圧縮熱を使用することも必要とされず、むしろ工程自体から又は他に由来し、かつ圧縮ガス又はその他のものであるあらゆる再生ガスを使用することができる。
【００７３】
図５は、この場合に吸着要素１９Ａのスタックが容器２Ａに固定され、この容器２Ａの壁の一部を見ることができる請求項３の詳細の変形を示している。
【００７４】
この例では、シール２２は、必ずというわけではないが例えばアルミニウム、別の金属、又はポリマーのリング２８を含み、このリング２８の内径は、この例ではディスク形である吸着要素１９Ａの外径よりも幾分大きい。
【００７５】
リング２８は、互いの上に置かれた吸着要素１９Ａの端部の周縁の上を延びる。その内縁上に、当該リング２８には、内向きに向けられた半径方向縁部２９が設けられ、それに対して吸着要素の当該端部が固定される。
【００７６】
良好なシールを得て漏出経路を阻止するために、例えばある量の接着剤又は別の密封要素の形態にある密封層３０及び３１それぞれが、当該縁部２９のいずれかの側の周囲全体にわたって固定される。
【００７７】
この例では、リング２８には、その外周にわたって２つの実質的に平行なリブ３２が互いからの軸方向距離に設けられ、その間にこの場合にＯ−リングの形態にあるシール３３が固定される。本発明により、リブ３２の存在は厳密に必要というわけではない。例えば、唯１つのリブは、その上にシール３３が乗るように設けることができ、又はシールのリング２８上に不動に装着することができ、又はこの一体部分を形成することができる。
【００７８】
互いの上に積み重ねられた吸着要素から構成されるカートリッジを装着する時に、図５に示すように、シール３３は、容器２Ａの内壁に対して押圧することになる。このようにして、この構成は、吸着要素１９Ａ相互間の漏出だけでなく、カートリッジと容器の壁の間の漏出も阻止されることを保証する。
【００７９】
ここでもまた、当該実施形態が容器２Ａにおける適用に限定されず、図１の容器２Ｂにおいて及び／又は図４の容器２５において又は本発明によるあらゆる他のタイプの吸着デバイス１において全く同様に適用することができることは明らかである。
【００８０】
図６は、容器２Ａに装着された状態にある吸着要素１９Ａのスタックの上部の上縁の詳細を示している。容器２Ａの壁を図面の右に示している。同じ構成は、吸着要素のスタックの下縁上に、又は容器に唯１つの吸着要素が使用される時にはそのような個別の吸着要素の上面及び／又は底面上に可能である。
【００８１】
Ｖ字形シール３４が、吸着要素１９Ａの自由周縁、言い換えれば、別の吸着要素１９Ａに向けられていない周縁にわたって押圧され、この全てが、シールの第１のアーム３５が、吸着要素１９Ａの軸方向上面に対して押圧し、一方でこのシール３４の第２のアーム３７が、吸着要素１９Ａの半径方向外壁３８に対して押圧するようにするためである。
【００８２】
この場合に、Ｖ字形シール３４は、上面上又は言い換えれば２つのアーム３５及び３８が互いに接続される側面上にローブ状突起３９を呈する。
【００８３】
本発明の好ましい特性により、シール３４の一部を容器２Ａの内壁に対して半径方向に押圧する押圧手段が設けられる。この例では、当該押圧手段は、シール３４のローブ状突起３９に対してバネ４１によって押圧される円錐リング４０を含む。この目的に対して、円錐リング４０の円錐面は、当該シール３４に向けられ、かつ例えば容器２Ａのカバーに対してバネをその他端によって押圧する。容器２Ａの内壁に対して押圧されるシール３４の部分は、必ずしもローブ状でなくでもよく、この部分は、多くの異なる方法で構成することができることは言うまでもない。
【００８４】
円錐リング４０の最大外径は、必ずというわけではないが好ましくは容器２Ａの内径とほぼ同じくらい大きい。
【００８５】
これに代えて、図６に一例として示す構成では、吸着要素１９Ａのスタックから構成されるカートリッジの上部及び底部でのシールは、例えば図５に示す原理と類似の接着リング及びＯ−リングを利用することにより、異なる方法で取得することができる。
【００８６】
以上の説明では、水分を吸着するための乾燥デバイスの形態にある吸着デバイスを主として記述したが、本発明は、酸素及び／又は二酸化炭素などのようなある一定のガス分子を吸着することができる吸着要素を有する窒素発生器などのような他のタイプの吸着デバイスにも関連する。例えば、圧縮空気からそのようなガス分子を除去することにより、公知のように窒素を発生させることができる。
【００８７】
本発明は、一例として説明して図面に示した実施形態に決して限定されず、むしろ圧縮ガスのための本発明による吸着デバイスは、本発明の範囲から逸脱することなく多くの形態及び寸法に実現することができる。
【符号の説明】
【００８８】
１  吸着デバイス
２Ａ、２Ｂ  容器
５  圧力パイプ
１５  冷却パイプ
１９Ａ、１９Ｂ  吸着要素
【図１】
2018526209.tif 000003
【図２】
2018526209.tif 000004
【図３】
2018526209.tif 000005
【図４】
2018526209.tif 000006
【図５】
2018526209.tif 000007
【図６】
2018526209.tif 000008
【手続補正書】
【提出日】平成30年5月1日(2018.5.1)
【手続補正１】
【補正対象書類名】特許請求の範囲
【補正対象項目名】全文
【補正方法】変更
【補正の内容】
【特許請求の範囲】
【請求項１】
処理される圧縮ガスの供給のための入口（３Ａ、３Ｂ）と処理されたガスのための出口（４Ａ、４Ｂ）とを有する容器（２Ａ、２Ｂ、２５）が、吸着デバイス（１）に設けられ、吸着要素（１９Ａ、１９Ｂ、１９）が、該容器（２Ａ、２Ｂ、２５）に固定され、この吸着要素（１９Ａ、１９Ｂ、１９）が、該入口（３Ａ、３Ｂ）と該出口（４Ａ、４Ｂ）の間を処理される該圧縮ガスの流れ方向に沿って延びる圧縮ガスのための吸着デバイスであって、
前記吸着要素（１９Ａ、１９Ｂ、１９）は、吸着剤を含有するコーティングが少なくとも部分的に設けられたモノリシック支持構造を含み、
いくつかの吸着要素（１９Ａ）が、前記ガスの前記流れ方向に沿って前記容器（２Ａ、２Ｂ、２５）に直列に置かれ、該吸着要素（１９Ａ）は、互いの上に積み重ねられており、
シール（２２）が、互いの上に置かれたどの２つの吸着要素（１９Ａ）間にも設けられる、
ことを特徴とする吸着デバイス。
【請求項２】
前記モノリシック支持構造は、以下の材料：セラミック材料、金属ホイル、繊維構造、及びポリマーのうちの１又は２以上を含有することを特徴とする請求項１に記載の吸着デバイス。
【請求項３】
前記モノリシック支持構造は、コーディエライトを含有するセラミック構造から構成されることを特徴とする請求項２に記載の吸着デバイス。
【請求項４】
前記吸着剤は、以下の材料：ゼオライト、シリカゲル、活性アルミナ、活性炭、金属−有機組成物、含浸吸着剤、及び混成吸着剤のうちの１又は２以上を含有することを特徴とする請求項１から請求項３の１又は２以上に記載の吸着デバイス。
【請求項５】
前記吸着剤は、親水性ゼオライトを含有することを特徴とする請求項４に記載の吸着デバイス。
【請求項６】
前記吸着剤は、フォージャサイトゼオライトタイプＸを含有することを特徴とする請求項４に記載の吸着デバイス。
【請求項７】
前記シール（２２）は、互いの上に置かれた前記吸着要素（１９Ａ）のそれぞれの周縁の上を延びることを特徴とする請求項１から請求項６のいずれか１又は２以上に記載の吸着デバイス。
【請求項８】
前記シール（２２）には、前記吸着要素（１９Ａ）間を延びる内向きに回転された少なくとも１つの半径方向リップ（２３）が設けられることを特徴とする請求項７に記載の吸着デバイス。
【請求項９】
前記シール（２２）には、互いの上に置かれた前記吸着要素（１９Ａ）間を延びる内向きに回転された２つの半径方向Ｖ字形リップ（２３）が設けられることを特徴とする請求項７に記載の吸着デバイス。
【請求項１０】
収縮スリーブ（２４）が、吸着要素（１９Ａ）のスタックの少なくとも一部の周囲壁にわたって固定されることを特徴とする請求項１から請求項９の１又は２以上に記載の吸着デバイス。
【請求項１１】
前記収縮スリーブ（２４）は、ガスに対してそれ程高い透過性ではない弾性材料から構成されることを特徴とする請求項９に記載の吸着デバイス。
【請求項１２】
前記収縮スリーブ（２４）は、ポリオレフィンで製造されることを特徴とする請求項１０又は請求項１１に記載の吸着デバイス。
【請求項１３】
前記コーティングはまた、前記吸着剤に加えて結合剤材料を含有することを特徴とする請求項１から請求項１２の１又は２以上に記載の吸着デバイス。
【請求項１４】
前記結合剤材料は、以下の無機結合剤材料：
コロイドシリカ、
アルミナ、及び／又は
粘土、
のうちの１又は２以上を含有することを特徴とする請求項１３に記載の吸着デバイス。
【請求項１５】
前記結合剤材料は、以下の有機結合剤材料：
メチルセルロース、
アクリル樹脂及びビニル樹脂などのようなポリマー、及び／又は
セルロース群の材料、
のうちの１又は２以上を含有することを特徴とする請求項１３又は請求項１４に記載の吸着デバイス。
【請求項１６】
圧縮ガスのための吸着デバイスのための吸着要素のスタックから構成されるカートリッジであって、
各吸着要素（１９Ａ、１９Ｂ、１９）が、吸着剤を含有するコーティングが少なくとも部分的に設けられたモノリシック支持構造を含み、該吸着要素（１９Ａ）は、互いの上に積み重ねられており、それによってシール（２２）が、互いの上に置かれたどの２つの吸着要素（１９Ａ）間にも設けられる、
ことを特徴とするカートリッジ。
【請求項１７】
収縮スリーブ（２４）が、前記吸着要素（１９Ａ）のスタックの少なくとも一部の周囲壁にわたって固定されることを特徴とする請求項１６に記載のカートリッジ。
【請求項１８】
前記収縮スリーブ（２４）は、ガスに対してそれ程高い透過性ではない弾性材料から構成されることを特徴とする請求項１７に記載のカートリッジ。
【請求項１９】
前記収縮スリーブ（２４）は、ポリオレフィンで製造されることを特徴とする請求項１７又は請求項１８に記載のカートリッジ。
【請求項２０】
前記シール（２２）は、互いの上に置かれた前記吸着要素（１９Ａ）のそれぞれの周縁の上を延びることを特徴とする請求項１６から請求項１９のいずれか１又は２以上に記載のカートリッジ。
【請求項２１】
前記シール（２２）には、前記吸着要素（１９Ａ）間を延びる内向きに回転された少なくとも１つの半径方向リップ（２３）が設けられることを特徴とする請求項１６から請求項１９又は請求項２０のいずれか１又は２以上に記載のカートリッジ。
【請求項２２】
前記シール（２２）には、互いの上に置かれた吸着要素（１９Ａ）間を延びる内向きに回転された２つの半径方向Ｖ字形リップ（２３）が設けられることを特徴とする請求項１６から請求項２１の１又は２以上に記載のカートリッジ。
【請求項２３】
前記モノリシック支持構造は、コーディエライトを含有するセラミック構造から構成されることを特徴とする請求項１６から請求項２２のいずれか１又は２以上に記載のカートリッジ。
【請求項２４】
前記吸着剤は、以下の材料：ゼオライト、シリカゲル、活性アルミナ、活性炭、及び金属−有機組成物のうちの１又は２以上を含有することを特徴とする請求項１６又は請求項２３のいずれか１又は２以上に記載のカートリッジ。
【請求項２５】
前記吸着剤は、親水性ゼオライトを含有することを特徴とする請求項１６から請求項２３のいずれか１又は２以上に記載のカートリッジ。
【請求項２６】
前記吸着剤は、フォージャサイト又はゼオライトタイプＸを含有することを特徴とする請求項１６から請求項２３のいずれか１又は２以上に記載のカートリッジ。
【請求項２７】
前記シール（２２）は、前記吸着要素（１９Ａ）の外径よりも幾分大きい内径を有するリング（２８）を含み、
前記リング（２８）は、互いの上に置かれた前記吸着要素（１９Ａ）の端部の周縁の上を延び、
前記リング（２８）には、前記吸着要素（１９Ａ）の当該の前記端部がそれに対して固定される内向きに向けられた半径方向縁部（２９）が設けられる、
ことを特徴とする請求項１６から請求項２６のいずれか１又は２以上に記載のカートリッジ。
【請求項２８】
密封層（３０、３１）が、当該の前記半径方向縁部（２９）の少なくとも１つの側面上に周囲全体にわたって固定されることを特徴とする請求項２７に記載のカートリッジ。
【請求項２９】
シール（３４）が、前記吸着要素（１９Ａ、１９Ｂ、１９）の自由周縁にわたって設けられることを特徴とする請求項１に記載の吸着デバイス。
【請求項３０】
前記シール（３４）は、当該の前記周縁にわたって押されるＶ字形シールとして構成され、全てが、該シール（３４）の第１の脚（３５）が、前記吸着要素（１９Ａ、１９Ｂ、１９）の軸方向上面（３６）に対して押圧し、一方でこのシール（３４）の第２の脚（３７）が、該吸着要素（１９Ａ、１９Ｂ、１９）の半径方向外側壁（３８）に対して押圧するためのものであることを特徴とする請求項２９に記載の吸着デバイス。
【請求項３１】
前記容器（２Ａ、２Ｂ）の内壁に対して前記シール（３４）の一部を半径方向に押圧する押圧手段が設けられることを特徴とする請求項２９及び／又は請求項３０に記載の吸着デバイス。
【請求項３２】
前記押圧手段は、前記シール（３４）の一部に対してバネ（４１）によって押圧される円錐リング（４０）を含むことを特徴とする請求項３１に記載の吸着デバイス。
【請求項３３】
圧縮ガスを乾かすための乾燥デバイスを形成することを特徴とする請求項１から請求項１５及び／又は請求項２９から請求項３２の１又は２以上に記載の吸着デバイス。
【請求項３４】
圧縮空気から酸素及び／又は二酸化炭素を吸着するための窒素発生器を形成することを特徴とする請求項１から請求項１５及び／又は請求項２９から請求項３２の１又は２以上に記載の吸着デバイス。
【国際調査報告】
2018526209.tif 000009
2018526209.tif 000010